(57)【要約】この光媒体（１）においては、プッシュ−プル信号と呼ばれるトラッキング信号を生成するプリグルーブのトラック（５）が、物質の層（４０及び４１）の間に埋め込まれる。当該プッシュ−プル信号は、書き込まれたトラックと空のトラックとの間でかなり変化する。読み取り及び／又は書き込みが、かなりの程度妨害され得る。書き込まれたトラックと書き込まれていないトラックとの間で僅かに正の微小なフェーズの変化、及び０．５以上のオーダーの大きさの平均反射率を呈する物質によって形成される光媒体は、かような妨害を回避する。
2005534129.tif 000002
【特許請求の範囲】
【請求項１】
トラッキング信号を生成するため、プリグルーブのトラックが物質の層の間に埋め込まれた光媒体において、前記物質は、書き込まれたトラックと書き込まれていないトラックとの間で僅かに正の微小なフェーズの変化、及び０．５以上のオーダーの大きさの平均反射率を呈することを特徴とする光媒体。
【請求項２】
前記物質は相変化物質によって形成されることを特徴とする、請求項１に記載の光媒体。
【請求項３】
前記物質は相変化型の成長優勢物質によって形成されることを特徴とする、請求項１に記載の光媒体。
【請求項４】
前記物質は相変化型の核形成優勢物質によって形成されることを特徴とする、請求項１に記載の光媒体。
【請求項５】
前記物質は記録可能な物質によって形成されることを特徴とする、請求項１に記載の光媒体。
【請求項６】
前記物質は記録可能な色素物質によって形成されることを特徴とする、請求項１に記載の光媒体。
【請求項７】
前記物質は記録可能な金属合金物質によって形成されることを特徴とする、請求項１に記載の光媒体。
【請求項８】
前記物質は記録可能な相変化物質によって形成されることを特徴とする、請求項１に記載の光媒体。
【請求項９】
物質の層が備えられる請求項１に記載の光媒体において、前記物質は、前記平均反射率が０．５と０．６との間である場合、０．０波長と０．０８波長との間の、書き込まれたトラックと書き込まれていないトラックとの間の正のフェーズ差を呈することを特徴とする光媒体。
【請求項１０】
物質の層が備えられる請求項１に記載の光媒体において、前記物質は、前記平均反射率が０．６よりも大きい場合、−０．０１波長と０．０４波長との間の、書き込まれたトラックと書き込まれていないトラックとの間のフェーズ差を呈することを特徴とする光媒体。
【請求項１１】
光媒体を読み取る及び／又は光媒体に書き込むための装置であって、前記光媒体の方向に光ビームを生成する光ヘッドと、読み取り／書き込み処理を管理する電子回路とを有する装置において、前記光媒体は請求項１又は２に記載の光媒体であることを特徴とする装置。
【請求項１２】
層が互いに配置され、前記光媒体が、書き込まれたトラックと書き込まれていないトラックとの間で僅かに正の微小なフェーズの変化、及び０．５以上のオーダーの大きさの平均反射率を呈するように、前記物質及び前記グルーブの深度が選択されることを特徴とする、請求項１又は２に記載の光媒体を生成する方法。
【発明の詳細な説明】
【技術分野】
【０００１】
本発明は、トラッキング信号を生成するためにプリグルーブのトラックが埋め込まれた光媒体に関する。
【背景技術】
【０００２】
かような媒体は、とりわけ再書き込み可能な光ディスクを利用するディジタルビデオレコーダの分野において、良く知られており多くの応用が見出される。当該光媒体におけるデータの記録及び消去は、強力なレーザ光によって結晶状態から非結晶状態に又はその逆に導かれた物質の反射の差に基づく。これらのディスクにおいては、プリグルーブが通常プッシュ−プル（ＰＰ）信号と呼ばれるトラッキング信号を生成する。欧州特許出願公開EP1063642は、前記ＰＰ信号に関する幾つかの情報を提供する。当該信号は、前記ディスクのグルーブ上又はグルーブ中にデータを記録し、当該グルーブからこれらデータを読み取るためのレーザヘッドのトラッキングを可能とする。欧州特許出願公開EP1143430は、かような媒体に関する情報を与える。当該文献においては、前記ＰＰ信号は種々のパラメータによって影響を受けることが言及されている。
【発明の開示】
【発明が解決しようとする課題】
【０００３】
本出願人は、これらのパラメータに加え、他のパラメータがあることを見出した。当該他のパラメータとは、既に書き込まれたトラックと書き込まれていないトラックとの間の振舞の差である。これらの異なる振舞により、前記ＰＰ信号の振幅及び傾きは、書き込まれたトラックと空のトラックとの間の遷移の周囲において強く変化する。前記レーザヘッドをトラッキングするサーボ機構は、かなりの程度妨害される。前記ＰＰ信号に依存する、トラッキングの堅固さ及びラジアルチルト（radial-tilt）検出器の精度は減少させられる。従って、ユーザによって好ましくない混乱が生じ得る。
【０００４】
本発明は、前記ＰＰ信号の変化がかなりの程度減少させられるような方法が適用される光媒体を提案する。
【課題を解決するための手段】
【０００５】
それ故、かような媒体は、前記物質が、書き込まれたトラックと書き込まれていないトラックとの間で僅かに正の微小なフェーズ（phase）の変化、及び０．５以上のオーダーの大きさの平均反射率を呈することを特徴とする。
【０００６】
本発明の主な利点は、前記提案される方法は、短い波長を持つ光を利用するBlue-ray Discと呼ばれる新世代の記録ディスクに良く適するが、青よりも短い又は長い波長を持つレーザを利用する他の世代の光ディスクにも本発明が適用されるという点である。
【０００７】
更なる利点は、プッシュ−プル振幅ベースのチルトセンサの性能が改善されるという点である。当該チルトセンサに関する情報は、米国特許US6157600において見出される。
【０００８】
本発明のこれらの及び他の態様は、限定的ではない例によって、以下に説明される実施例を参照しながら説明され明らかとなるであろう。
【発明を実施するための最良の形態】
【０００９】
図１は、本発明による媒体１を示す。当該媒体は、光記録ディスクである。当該ディスクには、螺旋状の形状のトラック５が示される。当該トラックは、この種のディスクには常に備えられ、ブランクのディスクであっても備えられている。前記媒体は、穴７を通過する軸のまわりに、矢印１０によって示された方向に回転する。情報は、マーク（ピット）とスペース（ランド）の形で、当該トラック５に沿って記憶される。非常に正確に当該トラックを追従することが重要である。この目的のため、光ヘッドを駆動するためのサーボが利用される。当該サーボは、プッシュ−プル（ＰＰ）信号と呼ばれる信号により制御される。当該信号は、光記録技術の分野において良く知られている。前記ＰＰ信号は、データが保存されていない光ディスクについても形成される必要がある。
【００１０】
図２は、本発明により実現された媒体１が配置された装置を示す。媒体１は断面図で示される。当該媒体に、レーザビーム１２がレンズ１４によってフォーカスされる。前記レーザは、矢印１７によって示される方向に電子回路２０の制御に依存して移動させられるレーザヘッド１５に装着される。前記フォーカスされたビームが常に関連するグルーブ上に又は当該グルーブ中にあるように、図示されていないサーボが前記レーザビームを制御する。前記グルーブの深度は「ｅ」である。図２において、関連するグルーブは、参照番号１９を持つ。前記ビームの移動の方向は、図２の平面に垂直である。電子回路２０は、読み取り及び／又は書き込みの全ての処理を実行する。表示ユニット２５は、前記媒体の内容が表示されるように、端末３０に接続される。図２に示された前記媒体は、２つの層４０及び４１によって構成される。第１の層４０は保護層である。第２の層４１は、データの記録のために利用される。書き込みを開始する前に、未記録媒体は既にトラッキングのためのグルーブを持つ。前記レーザヘッドは、上述したＰＰ信号によって当該グルーブ上を誘導される。
【００１１】
図３は、前記ＰＰ信号の振幅の変化を示す。当該信号の振幅は、既に書き込まれたグルーブの領域についてはＡＦＴであり、書き込まれていないグルーブの領域についてはＢＥＦになる。これら２つの領域の間には遷移領域Ｚがある。当該ＰＰ信号の傾きもまた変化することに留意されたい。前記ヘッドの誘導は妨害され得る。本発明は、可能な限り前記ＰＰ信号の変化の量を減少させる物質を選択することを提案する。
【００１２】
図４及び図５は、層４０及び４１が決定される方法を示す。図４は前記ＰＰ信号の振幅の変化を示し、図５は当該ＰＰ信号の傾きの変化を示す。これらの図において示される線図は、以下の部分Ｐ１、Ｐ２、Ｐ３及びＰ４に分解される：
Ｐ１は、0.0％と15.0％との間に含まれる変化に関連する。
Ｐ２は、15.0％と30.0％との間に含まれる変化に関連する。
Ｐ３は、30.0％と45.0％との間に含まれる変化に関連する。
Ｐ４は、45.0％と60.0％との間に含まれる変化に関連する。
【００１３】
ｘ軸は、書き込まれたトラックのΔフェーズΔ-ph-WTである。ｙ軸は平均反射率ＡＲである。Δフェーズに関連する符号規則の定義については、図６を参照されたい。ここでは、正のフェーズは、増大されたグルーブ深度に対応することがわかる。
【００１４】
Δ-ph-WTは、書き込まれていないトラックに対する、書き込まれたトラックのフェーズ差である。当該フェーズ差は、レーザ光の波長の単位で評価される。
【００１５】
ＡＲは、空のトラックの反射により正規化された、書き込まれたトラックの反射率の概算である。再書き込み可能な相変化媒体については、当該概算は、結晶状態及び非結晶状態の反射率に基づく：
ＡＲ＝（ｒＡ＋ｒＣ）／ｒＣ
ここで、ｒＡは非結晶の物質の反射率であり、ｒＣは結晶の物質の反射率である。
【００１６】
図４及び５において、Ｐ１によって示される部分が、前記ＰＰ信号の変化を一定に保つために最も好適である。図４から、ＡＲ＝０．５の平均グルーブ反射率の場合、最適なフェーズ差Δ-ph-WTは、0.02＜Δ-ph-WT＜0.06の範囲内であることがわかる。ＡＲがＡＲ＝０．６まで増大させられると、最適なフェーズ差Δ-ph-WTは、０＜Δ-ph-WT＜0.04の範囲内となる。
【００１７】
本発明に適した物質は、相変化型の成長優勢（growth-dominant）物質GeInSbTe、又はTe、In、Sb、Ag、Cu又は他の何かのような添加物を加えたGeSb系に基づく相変化型の物質である。即ち、成長優勢型の物質と核形成優勢（nucleation-dominant）型の物質との両方である。
【００１８】
実際には、利用される物質は重要ではない。本発明は、色素、金属合金、又は相変化技術に基づく全ての再書き込み可能な光媒体及び記録可能な媒体に有効である。
【００１９】
基本的な請求の範囲は、周囲のスペース及びランド（図４及び５による）に対する前記書き込まれたマークへの付加的なフェーズの追加による、前記書き込まれたグルーブの反射の減少の補償である。前記付加的なフェーズは、全ての層の厚さの適切な選択による積層の設計を最適化することにより、及び非結晶状態と結晶状態との両方について適切な光学定数を持つ相変化物質を利用することにより生成されても良い。これらの要求を満たすことを支援するため適切なグルーブの深度を見出すことが可能である。
【００２０】
要約すると、
前記光媒体は、相変化型の成長優勢物質から構成される物質によって形成されても良い。
前記物質は、相変化型の核優勢物質によって形成されても良い。
前記物質は、記録可能な物質によって形成されても良い。
前記物質は、記録可能な色素物質によって形成されても良い。
前記物質は、記録可能な金属合金物質によって形成されても良い。
前記物質は、記録可能な相変化物質によって形成されても良い。
【００２１】
物質の層が備えられる光媒体は、平均反射率が０．５と０．６との間である場合、０．０波長と０．０８波長との間の、書き込まれたトラックと書き込まれていないトラックとの間の正のフェーズ差を呈し、平均反射率が０．６より大きい場合には、−０．０１波長と０．０４波長との間の、書き込まれたトラックと書き込まれていないトラックとの間のフェーズ差を呈する物質によって形成されても良い。
【図面の簡単な説明】
【００２２】
【図１】本発明による光媒体を示す。
【図２】断面図で示された、光媒体を読み取る及び／又は光媒体に書き込むための装置を示す。
【図３】ＰＰ信号の変化を示す。
【図４】本発明による、関連するフェーズ差を選択するために利用される図である。
【図５】本発明による、関連するフェーズ差を選択するために利用される図である。
【図６】グルーブの方向に関して、書き込まれたトラックの正のΔフェーズΔ-ph-WTについての符号規則を示す。
【図１】
2005534129.tif 000003
【図２】
2005534129.tif 000004
【図３】
2005534129.tif 000005
【図４】
2005534129.tif 000006
【図５】
2005534129.tif 000007
【図６】
2005534129.tif 000008
【国際調査報告】
2005534129.tif 000009
2005534129.tif 000010